(57)【要約】【課題】親画面と子画面との２画面表示を可能にする場合において、親画面に表示される情報や親画面に設けられる入力欄を利用不能にすることなく、子画面にも画像を表示して利用できるようにする。【解決手段】子画面が表示され、親画面に使用者が確認すべき情報、例えば、Ｗｅｂページなどが表示されている場合に、その子画面が表示された位置のタッチパネル１２１上に、ユーザーが指やタッチペンなどを接触させ、接触させたまま移動させるドラック操作を行った場合に、座標検出部１２２により接触位置の移動経路に応じた表示画面上の座標位置を検出し、これに応じて、子画面の表示位置が、制御部１３０により制御される合成部１０９によって変更する。【選択図】図５
2010119124.tif 000002
【特許請求の範囲】
【請求項１】
表示装置部とベース装置部とを有する画像表示装置であって、
前記表示装置部は、
表示用の画像を生成する第１の画像処理手段と、
前記第１の画像処理手段により生成された前記表示用の画像を表示する表示手段と、
前記表示手段の表示領域の一部を子画面とし、前記子画面以外の領域の親画面に表示される画像と独立した画像を前記子画面に表示させることを指示する子画面表示指示入力を受け付ける受付手段と、
前記受付手段により受け付けられた前記子画面表示指示入力に基づいて、前記表示装置部自身が発生した画像を前記親画面に表示させている場合、前記第１の画像処理手段を制御して、前記ベース装置部からの映像信号による画像を前記子画面に表示させ、前記ベース装置部からの映像信号による画像を前記親画面に表示させている場合、前記親画面の画像および前記子画面の画像よりなる映像信号を前記ベース装置に要求し、前記第１の画像処理手段を制御して、前記要求に基づいて前記ベース装置から供給される前記映像信号の画像を、前記親画面と前記子画面に表示させる表示制御手段と
を備え、
前記ベース装置部は、
前記表示装置部から前記親画面の画像および前記子画面の画像よりなる映像信号を要求されていない場合、入力路を通じて供給される画像情報の画像を含む映像信号を生成し、前記表示装置部から前記親画面の画像および前記子画面の画像よりなる映像信号を要求された場合、互いに異なる入力路を通じて供給される２つの画像情報の画像を、それぞれ前記親画面の画像および前記子画面の画像として含む映像信号を生成する第２の画像処理手段と、
前記第２の画像処理手段により生成された前記映像信号を前記表示装置部に供給する供給手段と
を備える画像表示装置。
【請求項２】
前記表示装置部において、
前記受付手段は、前記子画面の移動操作をさらに受け付け、
前記表示制御手段は、前記表示装置部自身が発生した画像を前記親画面に表示させている場合、前記第１の画像処理手段を制御し、前記受付手段により受け付けられた前記子画面の移動操作に従って前記子画面の表示位置を移動させ、前記ベース装置部からの映像信号による画像を前記親画面に表示させている場合、前記受付手段により受け付けられた前記子画面の移動操作に従って前記子画面の表示位置を移動させるように前記ベース装置に要求し、
前記ベース装置部において、
前記第２の画像処理手段は、前記表示装置部からの要求に基づいて、前記映像信号に含まれる前記子画面の表示位置を移動させる
請求項１に記載の画像表示装置。
【請求項３】
前記第１の画像処理手段は、
入力路を通じて供給される画像情報、若しくは、前記ベース装置から供給される映像信号を、前記親画面に表示させるか、若しくは、前記子画面に表示させるかを選択する選択手段と、
前記選択手段により選択されて供給された映像信号若しくは画像情報を用いて、前記親画面に表示する画像を生成する親画面処理手段と、
前記選択手段により選択されて供給された映像信号若しくは画像情報を用いて、前記子画面に表示する画像を生成する子画面処理手段と、
前記親画面処理手段により生成された画像と、前記子画面処理手段により生成された画像とを合成し、前記親画面と前記子画面とからなる２画面の画像を表示できるようにする合成手段と
を備える請求項１に記載の画像表示装置。
【請求項４】
前記第２の画像処理手段は、
複数の入力路を通じて供給される２つの画像情報の各画像を、前記親画面に表示させるか、若しくは、前記子画面に表示させるかを選択する選択手段と、
前記選択手段により選択されて供給された映像信号若しくは画像情報を用いて、前記親画面に表示する画像を生成する親画面処理手段と、
前記選択手段により選択されて供給された映像信号若しくは画像情報を用いて、前記子画面に表示する画像を生成する子画面処理手段と、
前記親画面処理手段により生成された画像と、前記子画面処理手段により生成された画像とを合成し、前記親画面と前記子画面とからなる２画面の画像を表示できる映像信号を生成する合成手段と
を備える請求項１に記載の画像表示装置。
【請求項５】
表示装置部とベース装置部とを有する画像表示装置の画像表示方法であって、
前記表示装置部において、
第１の画像処理手段が、表示用の画像を生成し、
表示手段が、生成された前記表示用の画像を表示し、
受付手段が、表示領域の一部を子画面とし、前記子画面以外の領域の親画面に表示される画像と独立した画像を前記子画面に表示させることを指示する子画面表示指示入力を受け付け、
表示制御手段が、受け付けられた前記子画面表示指示入力に基づいて、前記表示装置部自身が発生した画像を前記親画面に表示させている場合、前記ベース装置部からの映像信号による画像を前記子画面に表示させ、前記ベース装置部からの映像信号による画像を前記親画面に表示させている場合、前記親画面の画像および前記子画面の画像よりなる映像信号を前記ベース装置に要求し、前記要求に基づいて前記ベース装置から供給される前記映像信号の画像を、前記親画面と前記子画面に表示させ、
前記ベース装置部において、
第２の画像処理手段が、前記表示装置部から前記親画面の画像および前記子画面の画像よりなる映像信号を要求されていない場合、入力路を通じて供給される画像情報の画像を含む映像信号を生成し、前記表示装置部から前記親画面の画像および前記子画面の画像よりなる映像信号を要求された場合、互いに異なる入力路を通じて供給される２つの画像情報の画像を、それぞれ前記親画面の画像および前記子画面の画像として含む映像信号を生成し、
供給手段が、生成された前記映像信号を前記表示装置部に供給する
画像表示方法。
【発明の詳細な説明】
【技術分野】
【０００１】
この発明は、例えば、テレビ受像機などの画像表示装置および方法に関する。
【背景技術】
【０００２】
テレビ受像機の中には、表示画面の一部に子画面を表示し、この子画面以外の親画面とにそれぞれ独立に画像を表示する機能であるいわゆるピクチャー・イン・ピクチャー機能（以下、ＰｉｎＰ機能という。）を備えたものが提供されている。このＰｉｎＰ機能を備えたテレビ受像機においては、例えば、親画面にドラマ番組の画像を表示し、子画面に野球中継の画像を表示して、野球中継の経過を確認しながら、主にドラマを視聴するようにするなどのことができるようにしている。
【０００３】
そして、子画面は、表示画面上の右上端側や右下端側などの予め決められた位置に表示するようにされるが、右上端側、左上端側、左下端側、右下端側などの予め決められた所定の位置に表示位置を変更することができるようにしたものも提供されている。
【０００４】
また、子画面は表示画面の一部分に形成され、その表示領域は小領域とされる。このため、子画面に表示された画像の細かい部分の認識が困難になることを考慮し、特許文献１には、表示画面の指示された領域の画像のみを子画面の全面に表示して、指示された領域の画像を視認性良く子画面に表示するようにする技術が開示されている。
【０００５】
いわゆるＰｉｎＰ機能は、テレビ受像機における有効な機能の１つとして、多くのテレビ受像機に搭載するようにされている。
【先行技術文献】
【特許文献】
【０００６】
【特許文献１】特開平９−１６３２６０号公報
【発明の概要】
【発明が解決しようとする課題】
【０００７】
ところで、近年においては、単にテレビ放送信号を受信して復調し、テレビ放送番組を視聴できるようにするだけでなく、インターネットに接続してＷｅｂページを閲覧できるようにしたり、電子メールを作成して送信したり、また、自分宛ての電子メールを受信して表示したり、また、インターネットやデジタルカメラから取り込んだ画像を保持して表示できるようにしたりするなどの機能を備えた多機能なテレビ受像機（画像表示装置）も提供されるようになってきている。
【０００８】
このような多機能な画像表示装置においては、テレビ放送番組以外の画像情報を親画面に表示し、テレビ放送番組の画像を子画面に表示して視聴する場合も多いと考えられる。例えば、インターネットに接続してＷｅｂページを親画面に表示して閲覧しながら子画面を通じてテレビ放送番組を視聴したり、送信する電子メールを親画面を介して作成しながら、子画面を通じてテレビ放送番組を視聴したりするなどの場合である。
【０００９】
このように、親画面を通じて、Ｗｅｂページを閲覧しながら、あるいは、電子メールを作成しながら、子画面を通じてテレビ放送番組を視聴できるようにしている場合には、子画面がＷｅｂページの必要な情報や電子メールの入力欄を隠してしまい、必要な情報の取得や入力ができなくなる可能性が高くなる。このような場合には、子画面を消去したり、子画面の表示位置を予め決められた別の位置に移動したりすることにより対応することが考えられる。
【００１０】
しかし、子画面を消去した場合には、子画面に表示されていたテレビ放送番組の視聴ができなくなるし、予め決められた別の位置に子画面を移動した場合には、その位置に必要な情報が表示されていた場合には、さらに別の予め決められた位置に移動させなければならず、ＰｉｎＰ機能の有効な活用ができなくなる場合があると考えられる。
【００１１】
以上のことにかんがみ、この発明は、親画面と子画面との２画面表示を可能にする場合において、親画面に表示される情報や親画面に設けられる入力欄を利用不能にすることなく、子画面にも画像を表示して利用できるようにする装置、方法を提供することを目的とする。
【課題を解決するための手段】
【００１２】
本発明の一側面は、表示装置部とベース装置部とを有する画像表示装置であって、前記表示装置部は、表示用の画像を生成する第１の画像処理手段と、前記第１の画像処理手段により生成された前記表示用の画像を表示する表示手段と、前記表示手段の表示領域の一部を子画面とし、前記子画面以外の領域の親画面に表示される画像と独立した画像を前記子画面に表示させることを指示する子画面表示指示入力を受け付ける受付手段と、前記受付手段により受け付けられた前記子画面表示指示入力に基づいて、前記表示装置部自身が発生した画像を前記親画面に表示させている場合、前記第１の画像処理手段を制御して、前記ベース装置部からの映像信号による画像を前記子画面に表示させ、前記ベース装置部からの映像信号による画像を前記親画面に表示させている場合、前記親画面の画像および前記子画面の画像よりなる映像信号を前記ベース装置に要求し、前記第１の画像処理手段を制御して、前記要求に基づいて前記ベース装置から供給される前記映像信号の画像を、前記親画面と前記子画面に表示させる表示制御手段とを備え、前記ベース装置部は、前記表示装置部から前記親画面の画像および前記子画面の画像よりなる映像信号を要求されていない場合、入力路を通じて供給される画像情報の画像を含む映像信号を生成し、前記表示装置部から前記親画面の画像および前記子画面の画像よりなる映像信号を要求された場合、互いに異なる入力路を通じて供給される２つの画像情報の画像を、それぞれ前記親画面の画像および前記子画面の画像として含む映像信号を生成する第２の画像処理手段と、前記第２の画像処理手段により生成された前記映像信号を前記表示装置部に供給する供給手段とを備える画像表示装置である。
【００１３】
前記表示装置部において、前記受付手段は、前記子画面の移動操作をさらに受け付け、前記表示制御手段は、前記表示装置部自身が発生した画像を前記親画面に表示させている場合、前記第１の画像処理手段を制御し、前記受付手段により受け付けられた前記子画面の移動操作に従って前記子画面の表示位置を移動させ、前記ベース装置部からの映像信号による画像を前記親画面に表示させている場合、前記受付手段により受け付けられた前記子画面の移動操作に従って前記子画面の表示位置を移動させるように前記ベース装置に要求し、前記ベース装置部において、前記第２の画像処理手段は、前記表示装置部からの要求に基づいて、前記映像信号に含まれる前記子画面の表示位置を移動させることができる。
【００１４】
前記第１の画像処理手段は、入力路を通じて供給される画像情報、若しくは、前記ベース装置から供給される映像信号を、前記親画面に表示させるか、若しくは、前記子画面に表示させるかを選択する選択手段と、前記選択手段により選択されて供給された映像信号若しくは画像情報を用いて、前記親画面に表示する画像を生成する親画面処理手段と、前記選択手段により選択されて供給された映像信号若しくは画像情報を用いて、前記子画面に表示する画像を生成する子画面処理手段と、前記親画面処理手段により生成された画像と、前記子画面処理手段により生成された画像とを合成し、前記親画面と前記子画面とからなる２画面の画像を表示できるようにする合成手段とを備えることができる。
【００１５】
前記第２の画像処理手段は、複数の入力路を通じて供給される２つの画像情報の各画像を、前記親画面に表示させるか、若しくは、前記子画面に表示させるかを選択する選択手段と、前記選択手段により選択されて供給された映像信号若しくは画像情報を用いて、前記親画面に表示する画像を生成する親画面処理手段と、前記選択手段により選択されて供給された映像信号若しくは画像情報を用いて、前記子画面に表示する画像を生成する子画面処理手段と、前記親画面処理手段により生成された画像と、前記子画面処理手段により生成された画像とを合成し、前記親画面と前記子画面とからなる２画面の画像を表示できる映像信号を生成する合成手段とを備えることができる。
【００１６】
本発明の一側面は、また、表示装置部とベース装置部とを有する画像表示装置の画像表示方法であって、前記表示装置部において、第１の画像処理手段が、表示用の画像を生成し、表示手段が、生成された前記表示用の画像を表示し、受付手段が、表示領域の一部を子画面とし、前記子画面以外の領域の親画面に表示される画像と独立した画像を前記子画面に表示させることを指示する子画面表示指示入力を受け付け、表示制御手段が、受け付けられた前記子画面表示指示入力に基づいて、前記表示装置部自身が発生した画像を前記親画面に表示させている場合、前記ベース装置部からの映像信号による画像を前記子画面に表示させ、前記ベース装置部からの映像信号による画像を前記親画面に表示させている場合、前記親画面の画像および前記子画面の画像よりなる映像信号を前記ベース装置に要求し、前記要求に基づいて前記ベース装置から供給される前記映像信号の画像を、前記親画面と前記子画面に表示させ、前記ベース装置部において、第２の画像処理手段が、前記表示装置部から前記親画面の画像および前記子画面の画像よりなる映像信号を要求されていない場合、入力路を通じて供給される画像情報の画像を含む映像信号を生成し、前記表示装置部から前記親画面の画像および前記子画面の画像よりなる映像信号を要求された場合、互いに異なる入力路を通じて供給される２つの画像情報の画像を、それぞれ前記親画面の画像および前記子画面の画像として含む映像信号を生成し、供給手段が、生成された前記映像信号を前記表示装置部に供給する画像表示方法である。
【００１７】
本発明の一側面においては、表示装置部において、表示用の画像が生成され、生成された表示用の画像が表示され、表示領域の一部を子画面とし、子画面以外の領域の親画面に表示される画像と独立した画像を子画面に表示させることを指示する子画面表示指示入力が受け付けられ、受け付けられた子画面表示指示入力に基づいて、表示装置部自身が発生した画像が親画面に表示されている場合、ベース装置部からの映像信号による画像が子画面に表示され、ベース装置部からの映像信号による画像が親画面に表示されている場合、親画面の画像および子画面の画像よりなる映像信号がベース装置に要求され、要求に基づいてベース装置から供給される映像信号の画像が親画面と子画面に表示され、ベース装置部において、表示装置部から親画面の画像および子画面の画像よりなる映像信号を要求されていない場合、入力路を通じて供給される画像情報の画像を含む映像信号が生成され、表示装置部から親画面の画像および子画面の画像よりなる映像信号を要求された場合、互いに異なる入力路を通じて供給される２つの画像情報の画像を、それぞれ親画面の画像および子画面の画像として含む映像信号が生成され、生成された映像信号が表示装置部に供給される。
【発明の効果】
【００１８】
この発明によれば、親画面と子画面との２画面表示を可能にする場合において、親画面に表示される情報や親画面に表示される入力欄を利用不能にすることなく、子画面への画像の表示を継続させてこれを利用することができる。
【００１９】
具体的には、子画面の表示位置を簡単な操作で、ユーザーが表示画面上の任意の位置に移動させることができる。親画面と子画面とからなる２画面表示が可能な、使い勝手のよい画像表示装置を実現できる。
【図面の簡単な説明】
【００２０】
【図１】この発明の一実施の形態が適用された画像表示装置を説明するための図である。
【図２】子画面の表示態様を説明するための図である。
【図３】子画面の表示態様を説明するための図である。
【図４】子画面の移動について説明するための図である。
【図５】図１に示した画像表示装置の表示装置１００の構成例を説明するためのブロック図である。
【図６】図１に示した画像表示装置のベース装置２００の構成例を説明するためのブロック図である。
【図７】表示装置１００の動作を説明するためのフローチャートである。
【図８】図７に続くフローチャートである。
【図９】ベース装置２００の動作を説明するためのフローチャートである。
【発明を実施するための形態】
【００２１】
以下、図を参照しながら、この発明による装置、方法の一実施の形態について説明する。以下に説明する実施の形態においては、画像情報などの情報信号を受け付ける複数の入力路を備えたベース装置と表示素子を備えた表示装置とが無線通信により接続されて機能する画像表示装置に、この発明による装置、方法を適用した場合を例にして説明する。
【００２２】
［画像表示装置の概要］
図１は、この実施の形態の画像表示装置を説明するための図である。図１に示すように、この実施の形態の画像表示装置は、表示装置１００とベース装置（ベースステーション）２００とにより構成され、ベース装置２００には、ＤＶＤ（Digital Versatile Disc）装置、ＶＴＲ（Video Tape Recorder）、ＳＴＢ（Set-Top Box）、ＩＲＤ（Integrated Receiver Decoder）などの種々の外部入力装置３００を２台分接続することができるようにされている。
【００２３】
表示装置１００は、詳しくは後述もするが、図１に示すように、表示素子としてＬＣＤ（Liquid Crystal Display）１１１を備えたものである。ＬＣＤ１１１の表示画面には、使用者からの操作入力を受け付けるためのタッチパネル１２１が貼付されている。この表示装置１００は、無線通信によりベース装置２００と接続され、後述するように、ベース装置２００からの映像信号や音声信号などを含む送信信号（情報信号）を受信して、これらを再生することができるとともに、ベース装置２００に対して制御信号などを送信することができるものである。
【００２４】
また、表示装置１００は、ユーザーによって利用可能なメモリを内蔵するとともに、外部メモリが着脱可能にされており、内蔵メモリや装着された外部メモリに記憶されている画像情報を読み出して、ＬＣＤ１１１の表示画面に表示することもできるようにされたものである。すなわち、表示装置１００は、後述するベース装置２００から提供される画像情報に基づく画像をＬＣＤ１１１に表示することができるとともに、表示装置１００側に存在する画像情報に基づく画像をＬＣＤ１１１に表示することができるものである。
【００２５】
ベース装置２００は、詳しくは後述もするが、図１に示すように、テレビ放送信号を受信するアンテナ２０１に接続され、テレビ放送信号を受信、選局するチューナを備えるとともに、電話網やインターネットなどの通信ネットワークに接続するための通信処理部を備え、屋内に引き込まれている電話線などの通信線Ｌを通じて電話網やインターネットに接続することができるものである。図１において、端子ＭＪは、屋外から屋内に引き込まれた通信線Ｌとの接続端子である。
【００２６】
そして、ベース装置２００は、自己のチューナにより選局し、復調することにより得たテレビ放送番組の映像信号や音声信号、あるいは、自己の通信処理部を通じて通信ネットワークを通じて得た映像データや音声データ、あるいはＷｅｂページの情報や電子メール情報、あるいは、外部入力装置３００からの映像信号や音声信号などの情報信号をデータ圧縮して、送信信号を形成し、これを上述もしたように表示装置１００に送信することができるものである。
【００２７】
表示装置１００は、上述もしたように、ベース装置２００からの送信信号を受信して復調し、復調した送信信号から映像信号やテキストデータなどの表示用信号を抽出して、この表示用信号に応じた映像をＬＣＤ１１１に表示するとともに、復調した送信信号から音声信号を抽出して、この音声信号に応じた音声をスピーカーから放音することができるものである。
【００２８】
また、表示装置１００は、ＤＶＤ装置などの外部入力装置３００を制御するための操作入力を受け付けるための操作用表示情報であるコントロールパネルをＬＣＤ１１１に表示することができるようにされている。そして、コントロールパネルの表示と、タッチパネル１２１とにより、使用者からの操作入力を受け付けることができるものである。
【００２９】
外部入力装置３００用のコントロールパネルは、表示装置１００の制御部によって実行されるソフトウエアによって表示するようにされるいわゆるソフトウェアキーである。そして、表示装置１００は、使用者の指などが接触したＬＣＤ１１１に貼付されたタッチパネル１２１上の接触位置（座標位置）を検出し、その接触位置に表示されているコントロールパネルを構成する操作キー（表示項目）を判別して、操作するようにされた操作キーに応じた操作信号（制御信号）を形成して、これをベース装置２００に無線送信したりすることができるものである。
【００３０】
ベース装置２００には、図１に示すように、リモコンマウスなどと呼ばれる赤外線のリモコン信号を送出するリモコン信号送出部２５０が接続可能にされており、表示装置１００からの操作信号に応じたリモコン信号を形成し、これをリモコン信号送出部２５０から外部入力装置３００に送信することができるようにされている。
【００３１】
外部入力装置３００は、もともと自機のリモコンからの赤外線リモコン信号を受光するためのフォトディテクタなどからなるリモコン信号受光部３４５を備えており、ベース装置２００に接続されたリモコン信号送信部２５０からのリモコン信号を受光して、そのリモコン信号に応じた制御、例えば、電源のオン／オフや、外部入力装置３００がＤＶＤ装置の場合には、装填されたＤＶＤに記録されている目的とするコンテンツの再生、早戻し、早送り、これらの一時停止や停止などを行うなどの、機器に応じた遠隔操作を行うことができるようにされる。
【００３２】
そして、表示装置１００は、小型化、軽量化がされ、また、ベース装置２００とは、無線通信により接続するようにされているので、持ち運びに適している。このため、使用者は、ベース装置２００と通信が可能な範囲内であれば、表示装置１００を持ち運び、何処ででも表示装置１００を用いて、ベース装置２００から提供される情報信号を再生して出力し、使用者に提供することができる。
【００３３】
したがって、前述したように、表示装置１００を用いることにより、ベース装置２００のチューナにより選局されるテレビ放送番組を視聴したり、例えばＤＶＤ装置である外部入力装置３００に装填されたＤＶＤに記録されているコンテンツを視聴したり、さらに、ベース装置２００に、ＶＴＲやＳＴＢやＩＲＤが外部入力機器として接続されている場合には、これらＶＴＲ、ＳＴＢ、ＩＲＤからのコンテンツを視聴することができるようにされる。
【００３４】
また、表示装置１００を用いることにより、ベース装置２００の通信処理部を通じて、例えば、インターネット上に提供されているいわゆるＷｅｂページの情報を取得し、そのＷｅｂページの情報を視聴するようにしたり、自己宛ての電子メールを受信して、その電子メールをＬＣＤ１０８に表示して見たり、さらに、目的とする相手先に電子メールを作成して送信したりすることができる。
【００３５】
なお、電子メールを作成する場合には、表示装置１００に対して所定の操作を行うことにより、例えば、アルファベットキーや５０音キーなどからなるソフトウエアキーボードをＬＣＤ１０８に表示し、このソフトウエアキーボードとタッチパネル１２１と通じて、電子メールを作成することができる。そして、送信キーを操作するなどの所定の操作を行うことにより、作成した電子メールをベース装置２００に送信し、ベース装置２００を通じて相手先に送信することができる。
【００３６】
このように、ベース装置２００は、テレビ放送、インターネットなどの通信ネットワーク、外部入力装置３００などの各種の情報伝送媒体と表示装置１００とを結びつけるベースとなる装置である。
【００３７】
そして、この実施の形態の画像表示装置においては、インターネット機能の利用時、電子メール機能の利用時、設定画面の利用時においては、図１において、ＬＣＤ１１１の表示画面の下側に示すように、子画面ボタンキー（以下、子画面ボタンと略称する。）ＳＢが表示される。この子画面ボタンＳＢの表示位置上のタッチパネル１２１部分に指やタッチペンを接触させることにより、使用者は子画面を表示することを指示する子画面表示指示入力を行うことができるようにされている。
【００３８】
表示装置１００は、子画面指示入力を受け付けると、自機の機能により、あるいは、表示装置１００とベース装置２００とが協働することにより、表示装置１００のＬＣＤ１１１の表示画面の一部分に子画面を形成し、子画面以外の親画面部分には現在表示中の画像を、また、子画面にはベース装置２００が受信選局したテレビ放送番組の画像や、ベース装置２００を通じて提供される外部入力装置３００からの画像を表示することができるようにしている。
【００３９】
そして、子画面を表示した場合には、子画面に表示する画像の選択や、子画面の消去などを表示装置１００のタッチパネル１２１を通じて簡単に行うようにすることができるとともに、子画面を表示画面上の使用者の指示する任意位置に、簡単な操作で、かつ、迅速に移動させることができるようにしている。
【００４０】
なお、インターネット機能の利用時は、ベース装置２００の通信処理部を通じてインターネットに接続し、インターネット上のサーバ装置に公開されているＷｅｂページをＬＣＤ１１１に表示して閲覧するなど、インターネットに接続してインターネットを通じて提供される画像情報をＬＣＤ１１１に表示して利用している場合である。
【００４１】
また、電子メール機能利用時は、自機宛ての電子メールを受信してＬＣＤ１１１に表示している場合や送信する電子メールをＬＣＤ１１１に表示しながら作成している場合などである。また、設定画面の利用時は、言うまでも無く、この実施の形態の画像表示装置に対して種々の情報を設定するための設定画面を表示している場合である。
【００４２】
すなわち、テレビ放送番組の視聴時ではなく、確認すべき情報が表示されている、あるいは、情報の入力欄が設けられた画像が表示されている場合に、子画面表示を行うことができるようにし、親画面に表示される情報や入力欄を子画面が隠したり、見難くしたりすることがないように、子画面の移動を簡単に行うことができるようにしている。
【００４３】
［子画面表示の態様］
図２、図３は、この実施の形態の画像表示装置においての子画面表示の態様を説明するための図である。
【００４４】
上述もしたように、この実施の形態の画像表示装置においては、インターネット機能の利用時、電子メール機能の利用時、設定画面の利用時においては、図２Ａに示すように、ＬＣＤ１１１の表示画面の下側に子画面ボタンＳＢが表示される。そして、タッチパネル１２１の子画面ボタンＳＢが表示されている位置に指やタッチペンを接触させると、タッチパネル１２１上の接触位置が検出され、子画面ボタンＳＢが選択されたことが検出される。
【００４５】
子画面ボタンＳＢが選択されたことを検出すると、この実施の形態の表示装置１００は、ベース装置２００と協働して、図２Ｂに示すように、ＬＣＤ１１１の表示画面の左下側に子画面ＳＧを形成するようにし、ここにベース装置２００において受信選局されたテレビ放送信号により提供されるテレビ放送番組の画像を、あるいは、外部入力機器３００からの映像信号による画像を表示するようにする。この場合、その画像に対応する音声も表示装置１００に設けられたスピーカーから放音するようにされる。また、子画面ＳＧが表示されている場合には、子画面ボタンＳＢに対する操作は無効となるようにされている。
【００４６】
そして、ＬＣＤ１１１の表示画面に表示された子画面ＳＧは、詳しくは後述もするように、いわゆるドラック操作によって、簡単かつ迅速に、ＬＣＤ１１１の表示画面上の任意の位置に移動させることができるようにしている。また、ＬＣＤ１１１の表示画面に表示された子画面ＳＧ上のタッチパネル１２１に指やタッチペンをタッチして、ドラッグ操作することなく離した場合（いわゆるタッチ操作だけの場合）には、図３Ａに示すように、表示装置１００は、子画面ＳＧの上側には、選択可能な上側操作ボタン群を表示し、子画面ＳＧの下側には、選択可能な下側操作ボタン群を表示する。
【００４７】
この実施の形態の画像表示装置においては、子画面ＳＧの上側表示ボタン群は、「全画面」ボタン、「音のみ」ボタン、子画面表示終了ボタン（×印ボタン）、などを有し、また、下側表示ボタン群は、テレビ放送チャンネルの変更キーである「マイナス（−）」ボタンと「プラス（＋）」ボタン、外部入力機器の切り換えキーである「ビデオ」ボタンなどを備えるとともに、下側表示ボタン群の表示エリアには、表示されている画像を提供するテレビ放送信号の放送チャンネルを示す表示（テレビｎ）が表示される。
【００４８】
ここで、子画面ＳＧの上側表示ボタン群の「全画面」ボタンの表示位置のタッチパネル１２１に指などを接触させることにより、「全画面」ボタンを選択すると、表示装置１００とベース装置２００とが協働して、図３Ｂに示すように、子画面ＳＧの表示を終了させて、子画面ＳＧに表示されていた画像をＬＣＤ１１１の全画面（全面）に表示するとともに、子画面ＳＧに表示されていた画像に対応する音声を再生して放音するようにする。
【００４９】
同様にして、上側表示ボタン群の「音のみ」ボタンを選択すると、表示装置１００とベース装置２００とが協働し、図３Ｂに示すように、子画面ＳＧの表示を終了し、子画面ＳＧに表示されていた画像に対応する音声のみを再生して放音するようにする。また、同様にして、上側表示ボタン群の「×印」ボタンを選択すると、子画面ＳＧの表示を終了させる。
【００５０】
また、子画面ＳＧの下側表示ボタン群の「マイナス（−）」ボタンと「プラス（＋）」ボタンの表示位置のタッチパネル１２１に指などを接触させることにより、「マイナス（−）」ボタン、または、「プラス（＋）」ボタンを選択することによって、子画面ＳＧに表示する画像を提供するテレビ放送番組の放送チャンネルを変更することができるようにされる。この場合には、チャンネル変更要求が表示装置１００からベース装置２００に送信され、ベース装置２００において選局するテレビ放送チャンネルが変更するようにされる。
【００５１】
同様にして、子画面ＳＧの下側表示ボタン群の「ビデオ」ボタンを選択することによって、子画面ＳＧに表示する画像を提供する外部入力機器を変更することができるようにされる。この場合には、外部入力機器の変更要求が表示装置１００からベース装置２００に送信され、ベース装置２００において利用する外部入力機器が変更するようにされる。
【００５２】
［子画面の移動について］
そして、図２Ｂに示したように、ＬＣＤ１１１の表示画面に子画面ＳＧを表示した場合には、使用者は、タッチパネル１２１に対して行う簡単な操作で子画面ＳＧの表示位置を任意の位置に移動させることができる。図４は、子画面ＳＧの移動について説明するための図である。
【００５３】
図４Ａに示すように、子画面ＳＧが表示されている状態にあるときに、図４Ｂに示すように、（１）タッチパネル１２１の子画面ＳＧが表示されている位置に指やタッチペンを接触させ、（２）指やタッチペンをタッチパネル１２１に接触させたまま移動するようにするいわゆるドラック操作を行うようにすると、タッチパネル１２１に接触させている指やタッチペンの移動に応じて、子画面ＳＧの表示位置を図４Ｂにおいて点線で示したようにスライドさせることができるようにしている。
【００５４】
そして、図４Ｂに示すように、（３）目的とする位置まで子画面ＳＧを移動させたところで、タッチパネル１２１に接触させている指やタッチペンをタッチパネル１２１から離すことにより（子画面ＳＧを離す操作を行うことにより）、図４Ｃに示すように、子画面ＳＧの表示位置を移動させることができる。
【００５５】
このため、例えば、Ｗｅｂページを閲覧している場合に、子画面ＳＧの表示位置を簡単に移動させることができるので、重要な情報が子画面ＳＧを表示させているがために見えないなどという不都合を解消できるし、また、送信する電子メールの作成中において、文字などの入力エリアに子画面ＳＧが表示されている場合には、子画面ＳＧの表示位置を簡単に移動させることができるので、子画面ＳＧが電子メールの作成の邪魔にならないようにすることができる。
【００５６】
同様に、各種の設定画面を表示している場合に、子画面ＳＧの表示が、確認したい情報を隠している場合や、情報の入力欄を隠している場合であっても、子画面ＳＧの表示位置を簡単かつ迅速に、しかも使用者が目的とする位置に移動することができる。
【００５７】
したがって、ＬＣＤ１１１の表示画面の全面（１画面）に表示される情報の全部を確認することができるので、子画面ＳＧの表示が常に邪魔になってしまうことを防止し、子画面以外の画面である親画面に表示される情報の全部を利用することができるようにされる。
【００５８】
また、子画面ＳＧの表示位置は、子画面ＳＧの表示位置を予め決められた１つ以上の位置に移動できる場合に比べ、この実施の形態の画像表示装置の場合には、使用者が意図する任意の位置に子画面ＳＧの表示位置を移動することができるので、子画面ＳＧの表示が邪魔になることを最小限に抑え、常に子画面ＳＧの表示を有効に活用することができるようにされる。
【００５９】
［表示装置１００とベース装置２００の構成例］
次に、上述したように、子画面ＳＧの表示と表示位置の移動が可能なこの実施の形態の画像表示装置を構成する表示装置１００とベース装置２００の構成例について説明する。
【００６０】
［表示装置１００の構成例について］
まず、表示装置１００の構成例について説明する。図５は、この実施の形態の表示装置１００の構成例を説明するためのブロック図である。
【００６１】
図５に示すように、表示装置１００は、送受信アンテナ１０１、アンテナ共用器１０２、受信処理部１０３、デコード部１０４、Ｄ／Ａ（Digital/Analog）変換部１０５、セレクタ１０６、主画像処理部１０７、子画面処理部１０８、映像合成部（以下、単に合成部という。）１０９、映像処理部１１０、ＬＣＤ１１１、音声処理部１１２、スピーカー１１３、キャプチャー処理部１１４、送信信号形成部１１５、送信処理部１１６、タッチパネル１２１、座標検出部１２２、制御部１３０を備えている。
【００６２】
制御部１３０は、表示装置１００の各部を制御するものであり、図５に示すように、ＣＰＵ（Central Processing Unit）１３１、ＲＯＭ（Read Only Memory）１３２、ＲＡＭ（Random Access Memory）１３３、ＥＥＰＲＯＭ（Electrically Erasable Programmable ROM）１３４が、ＣＰＵバス１３５を通じて接続されて構成されたマイクロコンピュータである。
【００６３】
この制御部１３０には、外部メモリインターフェース（以下、外部メモリＩ／Ｆという。）１３５を通じて外部メモリ１５０を接続することができるとともに、キーインターフェース（以下、キーＩ／Ｆという。）１４０を通じて複数の操作キーが設けられたキー操作部１４１が接続されている。これによって、外部メモリ１５０が利用することができるとともに、キー操作部１４１を通じて受け付けた使用者からの指示入力に応じて、制御部１３０が表示装置１００の各部を制御することができるようにしている。
【００６４】
なお、外部メモリ１５０は、外部メモリＩ／Ｆ１３５に対して着脱可能とされた半導体メモリである。また、制御部１３０を構成するＲＯＭ１３２、ＲＡＭ１３３、ＥＥＰＲＯＭ１３４の内、ＲＯＭ１３２は、この実施の形態の表示装置１００において実行する各種の処理プログラムや処理に必要なデータなどが記録されたものである。ＲＡＭ１３３は、各種の処理において得られたデータを一時的に記憶保持するなどのように、主に各種の処理の作業領域として用いられるものである。
【００６５】
また、ＥＥＰＲＯＭ１３４は、いわゆる不揮発性のメモリであり、電源が落とされても、記憶保持した情報が失われることがなく、例えば、各種の設定パラメータや、ベース装置２００を通じて、取得するようにしたインターネット上のＷｅｂページや、ベース装置２００を通じて送信する作成した電子メールや受信した電子メール、キャプチャーした画像などを記憶保持することができるものである。
【００６６】
次に、ベース装置２００からの無線信号を受信する場合の表示装置１００の動作について説明する。この実施の形態において、表示装置１００とベース装置２００との間においては、例えば、ＩＥＥＥ（Institute Electrical and Electronics Engineers）８０２．１１方式のプロトコル、あるいは、その発展プロトコルなどの所定のプロトコルが用いられて無線通信が行なわれる。
【００６７】
ベース装置２００から所定の通信プロトコルに準拠した無線信号（送信信号）は、表示装置１００の送受信アンテナ１０１により受信され、アンテナ共用器（以下、単に共用器という。）１０２を通じて受信処理部１０３に供給される。共用器１０２は、送信信号と受信信号とが干渉し合うことを防止するためのものである。
【００６８】
つまり、この表示装置１００は、ベース装置２００からの信号を送受信アンテナ１０１を通じて受信することができるとともに、後述するように、自機からの操作信号などを送受信アンテナ１０１を通じて無線送信することができるものである。このため、共用器１０２は、送信処理部１１２からの送信信号が、送受信アンテナ１０１を通じて受信される受信信号に対して干渉することがないようにしている。
【００６９】
受信処理部１０３は、これに供給された信号を復調するなどの処理を行って、復調後の信号をデコード部（伸長処理部）１０４に供給する。前述もしたように、ベース装置２００は、自己のチューナにより選局した地上波のテレビ放送番組の映像信号や音声信号、自己の通信処理部を通じて受信したテキストデータや映像データなどの表示用データや音声データ、あるいは、外部入力装置３００からのコンテンツの映像信号や音声信号などの情報信号をデータ圧縮して送信してくる。
【００７０】
このため、表示装置１００のデコード部１０４は、受信処理部１０３からの復調されたデータ圧縮されている受信信号の供給を受けて、映像信号と音声信号とを分離し、分離した信号を伸長（圧縮解凍）することにより、データ圧縮前の元の信号を復元する。そして、デコード部１０４は、復元した映像信号（デジタル映像信号）と、復元した音声信号（デジタル音声信号）とをアナログ信号に変換し、これらをセレクタ１０６に供給する。
【００７１】
また、ベース装置２００からの表示装置１００に対する制御情報や通知情報は、デコード部１０４から制御部１３０に供給され、ＲＡＭ１３３あるいはＥＥＰＲＯＭ１３４に記録されて利用することができるようにされる。
【００７２】
また、セレクタ１０６には、Ｄ／Ａ変換部１０５を通じて、例えば、ＥＥＰＲＯＭ１３４や外部メモリ１５０に記憶保持されているキャプチャー画像データや、外部メモリ１５０に記憶保持されているデジタルカメラで撮影した画像の画像データによる映像、あるいは、ＲＯＭ１３２に保持されているメッセージ情報や各種の設定画面などを表示するための映像信号も供給される。
【００７３】
セレクタ１０６は、制御部１３０の制御に応じて、主画像処理部１０７や子画面表示部１０８に供給する映像信号を選択するとともに、音声処理部１０９に供給する音声信号を選択する。例えば、ベース装置２００からの送信信号に応じた映像と音声とを視聴するようにしている場合には、セレクタ１０６は、デコード部１０４からの映像信号を主画像処理１０７に供給するとともに、デコード部１０４からの音声信号を音声処理部１１２に供給する。
【００７４】
また、受信してＥＥＰＲＯＭ１３４や外部メモリ１５０に記録した電子メールをＬＣＤ１１１に表示する場合や送信する電子メールの作成画面をＬＣＤ１１１に表示している場合、あるいは、ＲＯＭ１３２などに保持されている設定画面などをＬＣＤ１１１に表示している場合には、制御部１３０によって、ＥＥＰＲＯＭ１３４、あるいは、外部メモリ１５０から読み出されてデコードされ、Ｄ／Ａ変換部１０５でアナログ信号に変換された電子メールを表示するための映像信号が主画像処理部１０７に供給される。
【００７５】
この場合に、子画面ボタンＳＢが選択された場合には、Ｄ／Ａ変換部１０５からの映像信号が主画像処理部１０７に供給されるとともに、デコード部１０４からの映像信号が子画面処理部１０８に供給され、デコード部１０４からの音声信号が音声処理部１１２に供給される。
【００７６】
このように、表示装置１００のＥＥＰＲＯＭや外部メモリ１５０からの画像情報の再生時においては、表示装置１００の機能によって、子画面ＳＧの表示を行うことができるようにしている。なお、後述もするが、ベース装置２００の通信機能を用いてインターネットにアクセスし、Ｗｅｂページを閲覧している場合においては、ベース装置２００の機能によって、子画面ＳＧの表示を行うことができるようにされる。
【００７７】
そして、主画像処理部１０７は、これに供給された映像信号から表示用信号（コンポーネント信号）を形成し、これを合成部１０９に供給する。また、子画面処理部１０８は、ＬＣＤ１１１の表示画面の一部の領域に設けられる子画面ＳＧとしての表示領域の大きさに合致するように、セレクタ４からの映像信号から表示用信号（コンポーネント信号）を形成すると共に、この信号による映像を縮小するようにする処理を施し、子画面への映像の表示用信号を形成してこれを合成部１０９に供給する。
【００７８】
合成処理部１０９は、これに供給される主画像処理部１０７からの表示用信号と子画面処理部１０８からの表示用信号とを合成処理して、合成処理後の表示用信号を映像処理部１１０とキャプチャー処理部１１４に供給する。映像処理部１１０は、これに供給された合成部１０９からの表示用信号からＬＣＤ１１１に供給するための表示用信号を形成し、これをＬＣＤ１１１に供給する。これにより、ＬＣＤ１１１に画像が表示される。
【００７９】
一方、音声処理部１１２は、これに供給された音声信号を所定のレベルにまで増幅するなどの処理を行って、これをスピーカー１１３に供給する。これにより、スピーカー１１３からは、音声処理部１１２からの音声信号に応じた音声が放音される。
【００８０】
このように、表示装置１００は、ベース装置２００から無線送信されてくる映像信号や音声信号を受信して、その受信した映像信号や音声信号を再生して出力することにより、使用者に提供することができるものである。また、自機のＥＥＰＲＯＭ１３４や自機に装填された外部メモリ１５０に記憶保持されている画像情報に応じた画像をＬＣＤ１１１に表示して使用者に提供することができるものである。
【００８１】
そして、上述もしたように、自機のＥＥＰＲＯＭ１３４や自機に装填された外部メモリ１５０に記憶保持されている画像情報に応じた画像をＬＣＤ１１１に表示している場合に、子画面ボタンＳＢを選択操作した場合には、ベース装置２００から無線送信されてくる映像信号に応じた画像を子画面ＳＧに表示するとともに、ベース装置２００から無線送信されてくる音声信号に応じた音声をスピーカー１１３から放音することができるものである。
【００８２】
また、キャプチャー処理部１１４は、例えば、１枚以上のフレームメモリを備え、フレーム単位に画像を取り込んで、ＥＥＰＲＯＭ１３４に、外部メモリ１５０が装着されている場合には、外部メモリ１５０に書き込むことができるようにしている。つまり、ＬＣＤ１１１に表示される画像を見て、その画像が有用あるために保存しておきたい場合には、ハードウェアキー、または、ソフトウェアキーとして表示装置１００に用意されているキャプチャーキーを選択することにより、その時点においてＬＣＤ１１１に表示されている画像を形成する画像データを取り込むことができるようにしている。
【００８３】
また、タッチパネル１２１と座標検出部１２２とにより、また、これらとＬＣＤ１１１の表示画面に表示される表示情報とにより、使用者からの操作入力を受け付ける操作入力受付部を構成している。すなわち、子画面ボタンＳＢをはじめ、種々の操作キー表示からなるコントロールパネル画像などを制御部１３０がＬＣＤ１１１に表示するようにし、タッチパネル１２１上の目的とするキー表示の表示位置に指などを接触させることにより、座標検出部１２２によりタッチパネル上の接触位置を検出して、これを制御部１３０に通知する。
【００８４】
制御部１３０は、接触位置に対応するＬＣＤ１１１の表示画面上の位置に表示しているキー表示は何かを判断し、そのキー表示に応じた処理を制御部１３０が実行することができるようにされる。そして、使用者からの指示入力が、例えば、テレビ放送チャンネルの変更などのベース装置２００に対する要求であるときには、制御部１３０はベース装置２００に対する要求を形成し、これを送信信号形成部１１５に供給する。送信信号形成部１１５は、制御部１３０からの情報に基づいて、送信信号を形成し、これを送信処理部１１６に供給する。
【００８５】
送信処理部１１６は、送信信号形成部１１５からの送信信号を増幅するなどの処理を行って、処理後の送信信号を共用器１０２、送受信アンテナ１０１を通じて、ベース装置２００に送信する。これにより、使用者は、表示装置１００を通じて、ベース装置２００を制御することができるようにされる。
【００８６】
また、上述もしたように、タッチパネル１２１の子画面ＳＧの表示位置上に指などを接触させて移動させる、子画面ＳＧの移動操作を受け付けた場合には、順次に座標検出部１２２から供給される接触位置を示す座標データに基づいて、制御部１３０が、合成部１０９を制御し、子画面の表示位置を変更することができるようにしている。すなわち、合成部１０９は、子画面位置変更部としての機能も有している。また、詳しくは後述もするが、子画面ＳＧの合成がベース装置２００で行われるようにされている場合には、子画面ＳＧの移動処理は、表示装置１００とベース装置２００が協働して行われることになる。
【００８７】
なお、キー入力部１４１は、例えば、電源のオン／オフキー、音量調整キーなど、いわゆるソフトウェアキーによっては実現不能な操作キーや、ソフトウェアキーよりもハードウェアキーの方が適している操作キー設けられているものである。
【００８８】
［ベース装置２００の構成例について］
次に、ベース装置２００の構成例について説明する。図６は、この実施の形態のベース装置２００の構成例を説明するためのブロック図である。
【００８９】
図６に示すように、この実施の形態のベース装置２００は、屋外に設置されるテレビ放送信号の受信アンテナ２０１に接続される選局部（チューナ部）２０２、復調部２０３、映像入力端子２０４ａ、２０４ｂ、音声入力端子２０５ａ、２０５ｂ、Ｄ／Ａ変換部２０６、セレクタ２０７、主画像処理部２０８、子画面処理部２０９、音声処理部２１０、映像合成部（以下、単に合成部という。）２１１、圧縮処理部２１２、送信信号形成部２１３、送信処理部２１４、共用器２１５、送受信アンテナ２１６、受信処理部２１７、制御部２３０を備えたものである。
【００９０】
制御部２３０は、この実施の形態のベース装置２００の各部を制御するものであり、図６に示したように、ＣＰＵ２３１、ＲＯＭ２３２、ＲＡＭ２３３、ＥＥＰＲＯＭ２３４がＣＰＵバス２３５を通じて接続されて形成されたマイクロコンピュータある。
【００９１】
ここで、制御部２３０のＲＯＭ２３２は、この実施の形態のベース装置２００において実行する各種の処理プログラムや処理に必要なデータなどが記録されたものである。ＲＡＭ２３３は、各種の処理において得られたデータを一時的に記憶保持するなどのように、主に各種の処理の作業領域として用いられるものである。ＥＥＰＲＯＭ２３４は、いわゆる不揮発性のメモリであり、電源が落とされても、記憶保持した情報が失われることがないようにされたものであり、各種のパラメータ情報などを記憶保持するものである。
【００９２】
また、制御部２３０には、通信処理部２２０が接続されている。通信処理部２２０は、インターフェース（以下、Ｉ／Ｆと略称する。）部２２１と、通信部２２２とからなっている。Ｉ／Ｆ部２２１は、通信回線、この実施の形態においては電話回線と、このベース装置２００との間のインターフェースであり、電話回線を通じて送信されてくる信号を受信したり、ベース装置２００からの信号を電話回線に送信したりする。
【００９３】
通信部２２２は、Ｉ／Ｆ部２２１を通じて受信した信号を復調して、これを制御部２３０に供給したり、制御部２３０からの送信信号を変調して、これをＩ／Ｆ部２２１に供給したりする。これにより、電話回線が接続された相手先との間で、各種のデータの送信、受信を行うことができるようにされる。
【００９４】
そして、この実施の形態のベース装置２００は、通信処理部２２０、電話線Ｌ、および、所定のＩＳＰ（Internet Service Provider）を通じてインターネットに接続し、インターネットを通じて各種の情報の提供を受けたり、電子メールを送信したり受信したりすることができるようにされている。
【００９５】
このため、制御部２３０は、通信処理部２２０を制御して、オフフックしたりオンフックしたりするなどのことができるとともに、オフフックするように通信処理部２２０を制御したときには、ダイヤル信号を電話回線に送出するようにするいわゆるダイヤラとしての機能などをも備えたものである。
【００９６】
また、制御部２３０には、リモコン信号形成部２４１、リモコン信号の出力端子２４２を通じて、リモコン信号送出部２５０が接続され、前述もしたように、表示装置１００からの操作信号に応じたリモコン信号を形成して、送出することができるようにされている。
【００９７】
なお、図示しないが、制御部２３０には、電源のオン／オフキーや各種の設定キーが設けられたキー入力部が接続されており、ベース装置２００の主電源のオン／オフや、各種の設定入力が、キー入力部を通じて行うことができるようにされている。
【００９８】
そして、この実施の形態のベース装置２００においては、電源の投入直後においては、制御部２３０の制御によりテレビ放送信号を受信選局して再生するようにするテレビモードとなるようにされている。そして、このテレビモード時においては、アンテナ２０１を通じて受信されたテレビ放送信号が、選局部２０２に供給される。
【００９９】
選局部２０２は、受信アンテナ２０１からのテレビ放送信号の中から、制御部２３０からの選局指示信号に応じたテレビ放送信号を選局し、この選局したテレビ放送信号を復調部２０３に供給する。復調部２０３は、これに供給されたテレビ放送信号を復調して、復調後の映像信号（画像信号）と音声信号とをセレクタ２０７に供給する。
【０１００】
セレクタ２０７には、復調部３からの映像信号の他に、映像入力端子２０４ａ、２０４ｂを通じて受け付けた映像信号（画像信号）と、音声入力端子２０５ａ、２０５ｂを通じて受け付けた音声信号と、Ｄ／Ａ変換部２０６を通じて、制御部２３０からの映像信号（画像信号）とが供給するようにされている。映像入力端子２０４ａと音声入力端子２０５ａ、映像入力端子２０４ｂと音声入力端子２０５ｂは、それぞれペアの入力端子であり、ＤＶＤ装置やＶＴＲなどの外部入力機器からのアナログ映像信号の供給を受け付けるものである。
【０１０１】
また、制御部２３０からＤ／Ａ変換部２０６を通じてセレクタ２０７に供給される映像信号は、通信部２２０を通じて、取り込んだ、例えば、インターネット上に提供されているいわゆるＷｅｂページの情報や、自機宛ての電子メールなどの情報、あるいは、電子メールの作成画面など制御部２３０が形成する各種の表示情報などである。
【０１０２】
セレクタ２０７は、制御部２３０からの切り換え制御信号に応じて、復調部２０３からの映像信号、音声信号と、外部入力端子２０４ａ、２０５ａを通じて受け付けた映像信号、音声信号と、外部入力端子２０４ｂ、２０５ｂからの映像信号、音声信号と、Ｄ／Ａ変換部２０６を通じて供給される制御部２０からの映像信号とのうち、どの映像信号を主映像処理部２０８に供給し、どの映像信号を子画面処理部２０９に供給するか、また、どの音声信号を音声処理部２１０に供給するかを切り換える。
【０１０３】
この実施の形態において、ベース装置２００のセレクタ２０７は、テレビモードにあるときには、復調部２０３からの映像信号を主画像処理部２０８に供給するとともに、復調部２０３からの音声信号を音声処理部２１０に供給する。また、通信処理部２２０を通じてインターネットに接続しているインターネットモードにあるとき、また、受信した電子メールを表示したり、送信する電子メールを作成する電子メールモードにあるときには、Ｄ／Ａ変換部２０６を通じて供給されるＷｅｂページや電子メール情報が主画像処理部２０８に供給される。
【０１０４】
そして、インターネットモード、または、電子メールモードにあるときに、後述もするように、表示装置１００からの子画面表示要求を受信した場合には、制御部２０７はセレクタ２０７を制御し、主画像処理部２０８へ供給する映像信号はそのままに、さらに、復調部２０３からの映像信号を子画面処理部２０９に供給するとともに、復調部２０３からの音声信号を音声処理部２１０に供給するようにする。
【０１０５】
主映像処理部２０８は、セレクタ２０７からの映像信号から表示用信号を形成し、これを合成部９に供給する。また、子画面処理部２０９は、表示装置１００のＬＣＤ１１１の表示画面の一部の領域に設けられる子画面としての表示領域の大きさに合致するように、セレクタ２０７からの映像信号から表示用信号を形成すると共に、この信号による映像を縮小するようにする処理を施し、子画面への映像の表示用信号を形成してこれを合成部２１１に供給する。
【０１０６】
合成部２１１は、主画像処理部２０８からの表示用信号と子画面処理部２０９からの表示用信号とを合成し、合成後の表示用信号を圧縮処理部２１２に供給する。この圧縮処理部２１２には、音声処理部２１０からの音声信号も供給される。圧縮処理部２１２は、これに供給された信号を所定の圧縮方式を用いてデータ圧縮する。この圧縮処理部２１２においては、例えば、ＭＰＥＧ方式やＷａｖｅｌｅｔ方式などのデータ圧縮方式を用いて、セレクタ２０６からの信号をデータ圧縮する。
【０１０７】
圧縮処理部２１２においてデータ圧縮された信号は、送信信号形成部２１３に供給される。送信信号形成部２１３は、予め決められた通信プロトコルに準拠した送信信号を形成する。前述もしたように、この実施の形態において、ベース装置２００は、例えば、ＩＥＥＥ８０２．１１方式のプロトコル、あるいは、その発展プロトコルに準拠した送信信号を形成する。
【０１０８】
送信信号形成部２１３において形成された送信信号は、送信処理部２１４に供給される。送信処理部２１４は、制御部２３０からの制御信号に応じて、送信信号の変調処理や増幅処理を行う。送信処理部２１４において処理された送信信号は、共用器２１５、送受信アンテナ２１６を通じて無線送信される。共用器２１５は、図５に示した表示装置１００の共用器１０２と同様に、送信信号と受信信号とが干渉し合うことを防止するものである。
【０１０９】
このようにして、チューナ２０２により選局されたテレビ放送番組の映像信号や音声信号、あるいは、外部入力端子２０４ａ、ｂ、２０５ａ、ｂを通じて受け付けた映像信号や音声信号、あるいは、通信処理部２２０を通じて取得した情報のテキストデータや映像データ、音声データを、データ圧縮して、所定の通信プロトコルで無線送信することにより、前述したように、表示装置１００に供給することができることができるようにしている。
【０１１０】
次に、表示装置１００から無線送信されてくる操作信号を受信した場合のベース装置２００の動作について説明する。送受信アンテナ２１６を通じて受信した表示装置１００からの操作信号等の制御信号は、共用器２１５を通じて受信処理部２１７に供給される。受信処理部２１７は、これに供給された信号を復調し、アナログ／デジタル変換するなどの処理を行って、制御部２３０が扱える信号に変換し、この信号を制御部２３０に供給する。
【０１１１】
制御部２３０は、受信処理部２１７からの信号が、外部入力機器３００に対する操作信号であるときには、受信した操作信号をリモコン信号形成部２４１に供給し、受信した操作信号に応じたリモコン信号を形成するように制御する。
【０１１２】
リモコン信号形成部２４１は、制御部２３０からの信号に基づいて、この実施の形態においては、外部入力装置３００に供給するリモコン信号を形成し、これのリモコン信号の出力端子２４２を通じて、これに接続されたリモコン信号送信部２５０に供給する。
【０１１３】
リモコン信号送信部２５０は、リモコン信号形成部２４１からのリモコン信号を赤外線のリモコン信号として送信する。このようにして、表示装置１００からの外部入力機器３００に対する操作信号を赤外線のリモコン信号として送出し、外部入力装置３００を遠隔操作することができるようにしている。
【０１１４】
また、制御部２３０は、受信処理部２１７からの信号が、自機、すなわち、ベース装置２００に対する操作信号であるときには、受信した操作信号に応じて、各部を制御する。これにより、チューナ２０１による選局を変更したり、セレクタ２０７から出力する信号を切り換えたり、また、子画面ＳＧを表示したりすることができるようにされる。
【０１１５】
また、制御部２３０は、受信処理部２１７からの信号が、目的とするＷｅｂページの取得要求や、電子メールの受信要求、あるいは、電子メールの送信要求などであるときには、通信処理部２２０を制御し、加入しているＩＳＰとの間に電話回線を接続することによって、インターネットに接続する。そして、目的とするＷｅｂページを取得するようにしたり、自己宛ての電子メールを受信したり、目的とする相手先に電子メールを送信したりすることができるようにされる。
【０１１６】
このように、この実施の形態のベース装置２００は、テレビ放送信号を受信、選局して復調し、この復調したテレビ放送番組の映像信号や音声信号、あるいは、外部入力端子２０４、２０５を通じて供給された外部入力装置からの映像信号、音声信号、あるいは、通信処理部２２０および電話回線を通じて供給を受ける映像データや音声データを受信して復調し、この復調した映像データや音声データをデータ圧縮して、所定の通信プロトコルにしたがって無線送信することができるものである。
【０１１７】
さらに、この実施の形態のベース装置２００は、表示装置１００から無線送信されてくる操作信号を受信し、その操作信号に応じて、自機を制御したり、外部入力装置を制御するためのリモコン信号を形成して送信したり、あるいは、表示装置１００から無線送信されてくる電子メールなどの送信情報を、通信処理部２２０を通じて送信することができるものである。
【０１１８】
［表示装置１００とベース装置２００の動作について］
次に、上述した表示装置１００とベース装置２００との動作について、図７〜図９のフローチャートを参照しながら説明する。
【０１１９】
［表示装置１００の動作について］
まず、図７、図８のフローチャートを参照しながら、表示装置１００の動作について説明する。図７、図８は、表示装置１００の動作を説明するためのフローチャートであり、使用者からの操作入力を受け付けるために、表示装置１００の制御部１３０において所定のタイミング毎に実行される処理である。図７、図８に示す処理が制御部１３０において実行されると、まず、制御部１３０は、タッチパネル１２１、または、キー操作部１４１を通じて、使用者からの操作入力を受け付けたか否かを判断する（ステップＳ１０１）。
【０１２０】
ステップＳ１０１の判断処理において、使用者からの操作入力を受け付けていないと判断したときには、この図７、図８に示す処理を終了する。ステップＳ１０１の判断処理において、使用者からの操作入力を受け付けたと判断したときには、ＬＣＤ１１１の表示画面に子画面ＳＧが表示されているか否かを判断する（ステップＳ１０２）。
【０１２１】
制御部１３０は、自機がどのような状態にあるかを常に管理しており、既に子画面ボタンＳＢが選択され、子画面ＳＧが表示されている場合には、子画面ＳＧが表示されていることを動作状態フラグなどにより管理している。このため、制御部１３０は、自己の動作状態フラグなどを確認することにより、子画面ＳＧが表示されているか否かを判断することができる。
【０１２２】
ステップＳ１０２の判断処理において、子画面ＳＧは表示されていないと判断した場合には、制御部１３０は、受け付けた操作入力は、子画面ボタンＳＢの選択操作か否かを判断する（ステップＳ１０３）。このステップＳ１０３の判断処理において、受け付けた選択入力は、子画面ボタンＳＢの選択操作ではないと判断したときには、制御部１３０は、使用者からの操作入力に応じた、例えば、音量調整処理等の他の処理を行うことになる（ステップＳ１０４）。
【０１２３】
また、ステップＳ１０３の判断処理において、受け付けた選択入力は、子画面ボタンＳＢの選択操作であると判断したときには、制御部１３０は、親画面（主画面）ＭＧには、例えば、受信した電子メールや作成中の電子メールを表示しているなど、表示装置１００において発生させた画像を表示しているか否かを判断する（ステップＳ１０５）。このステップＳ１０５の判断処理もまた、表示装置１００の動作状態を確認することにより判断でき、具体的には、セレクタ１０６の切り換え状態によって判断することができる。
【０１２４】
そして、ステップＳ１０５において、親画面ＭＧに表示装置１００において発生させた画像を表示していると判断したときには、制御部１３０は、セレクタ１０６、子画面処理部１０８、合成部１０９を制御して、ベース装置２００からの送信信号に含まれる映像信号による画像の子画面ＳＧへの表示を開始し（ステップＳ１０６）、この図７、図８に示す処理を終了する。なお、ステップＳ１０６において、子画面ＳＧの表示を開始させる場合、子画面の初期表示位置は、図４Ａに示したように、ＬＣＤ１１１の表示画面の左下側である。
【０１２５】
ステップＳ１０５の判断処理において、親画面ＭＧに表示装置１００において発生させた画像を表示していない（親画面ＭＧには、ベース装置２００からの送信信号に含まれる映像信号による画像が表示されている）と判断したときには、制御部１３０は、子画面表示要求を生成して、これを送信信号形成部１１５、送信処理部１１６、共用器１０２、送受信アンテナ１０１を通じてベース装置２００に送信する（ステップＳ１０７）。
【０１２６】
この子画面表示要求に応じて、ベース装置２００から親画面ＭＧと子画面ＳＧとからなる映像信号を含む送信信号が送信されてくるので、表示装置１００は、ベース装置２００からの送信信号を受信して、これを再生するようにし（ステップＳ１０８）、この図７、図８に示す処理を終了する。
【０１２７】
このように、子画面ＳＧを表示する場合、親画面ＭＧに表示されている画像が、表示装置１００側で発生されたものである場合には、親画面ＭＧに表示している画像データはベース装置２００側に無いので、表示装置１００側において、子画面の表示処理（親画面と子画面の合成処理）が行うようにされる。
【０１２８】
また、子画面ＳＧを表示する場合、親画面ＭＧに表示されている画像が、Ｗｅｂページの閲覧など、ベース装置２００からの情報である場合には、親画面ＭＧに表示している画像データ、子画面に表示する画像データとも表示装置１００側で発生させるものではないので、ベース装置２００側において、子画面の表示処理（親画面と子画面の合成処理）が行うようにされる。
【０１２９】
そして、ステップＳ１０２の判断処理において、ＬＣＤ１１１の表示画面に既に子画面ＳＧが表示されていると判断したときには、制御部１３０は、図８に示す処理に進み、受け付けた操作入力は、子画面ＳＧの移動操作か否かを判断する（ステップＳ１０９）。このステップＳ１０９の判断処理は、座標検出部１２２からの検出出力に基づいて判断することができる。
【０１３０】
すなわち、タッチパネル１２１上の子画面が表示されている位置に指などを接触させ、これを離すことなくいわゆるドラッグ操作を行うと、タッチパネル１２１に接触させた指などがタッチパネル１２１から離されるまで、例えば一定間隔で指などのタッチパネル上の接触位置を示す座標データが座標検出手段１２２により検出され、これが順次に制御部１３０に供給されるので、この順次に供給される座標データに基づいて、制御部１３０は、子画面の移動操作が行われているか否かを判断することができる。
【０１３１】
ステップＳ１０９の判断処理において、子画面ＳＧの移動操作は行われていないと判断したときには、制御部１３０は、使用者からの操作入力に応じたその他の処理を実行する（ステップＳ１１０）。
【０１３２】
ステップＳ１０９の判断処理において、子画面ＳＧの移動操作が行われていると判断したときには、制御部１３０は、親画面（主画面）ＭＧには、表示装置１００において発生させた画像を表示しているか否かを判断する（ステップＳ１１１）。このステップＳ１１１の判断処理は、図７に示したステップＳ１０５の場合と同様に行われる。
【０１３３】
ステップＳ１１１の判断処理において、親画面ＭＧに表示装置１００において発生させた画像を表示していると判断したときには、制御部１３０は、子画面ＳＧの合成処理は、表示装置１００側において行っていると判断し、子画面処理部１０８を制御して、子画面の表示を停止させる（ステップＳ１１２）。
【０１３４】
このステップＳ１１２の処理は、子画面ＳＧの表示位置を移動させる場合に、画像が乱れて見難くなったり、子画面ＳＧの移動中の表示位置を正確に把握することができなくなったりすることを防止するため、子画面ＳＧにベース装置２００からの画像を表示させないようにするが、子画面ＳＧの位置を明確にするため、例えば、子画面ＳＧの画枠内を白色一色にして、子画面ＳＧの画枠（表示領域）を明確に示すことができるようにする処理である。
【０１３５】
この後、制御部１３０は、合成部１０９を制御し、子画面処理部１０８からの子画面ＳＧの画枠表示を、タッチパネル１２１に接触させた使用者の指などのドラッグ操作に応じて、主画像処理部からの映像信号（表示用信号）に合成する子画面ＳＧの位置を移動（変更）させていくようにする（ステップＳ１１３）。
【０１３６】
そして、移動操作が終了したか否か、すなわち、タッチパネル１２１の子画面の表示位置上に接触させていた指などが離されたか否かを判断し（ステップＳ１１４）、移動操作は終了していないと判断したときには、ステップＳ１１３からの処理を繰り返す。ステップＳ１１４の判断処理において、移動操作が終了したと判断したときには、制御部１３０は、子画面ＳＧへのベース装置２００からの送信信号に含まれる映像信号に応じた画像の表示を回復（再開）させ（ステップＳ１１５）、この図７、図８に示す処理を終了する。
【０１３７】
また、ステップＳ１１１の判断処理において、親画面ＭＧに表示装置１００において発生させた画像を表示していない（親画面ＭＧには、ベース装置２００からの送信信号に含まれる映像信号による画像が表示されている）と判断したときには、制御部１３０は、子画面表示停止要求を生成して、これを送信信号形成部１１５、送信処理部１１６、共用器１０２、送受信アンテナ１０１を通じてベース装置２００に送信する（ステップＳ１１６）。この子画面表示停止要求により、この実施の形態においては、ベース装置２００においての子画面ＳＧへの画像の表示が停止するようにされる。
【０１３８】
この後、制御部１３０は、座標検出部１２２からの座標データを、送信信号形成部１１５、送信処理部１１６、共用器１０２、送受信アンテナ１０１を通じてベース装置２００に送信して、ベース装置２００より子画面ＳＧの表示位置が変更された映像信号を含む送信信号の提供を受けて、ＬＣＤ１１１の表示画面に画像を再生するようにする（ステップＳ１１７）。
【０１３９】
そして、制御部１３０は、移動操作が終了したか否か、すなわち、タッチパネル１２１の子画面の表示位置上に接触させていた指などが離されたか否かを判断し（ステップＳ１１８）、移動操作は終了していないと判断したときには、ステップＳ１１７からの処理を繰り返す。ステップＳ１１７の判断処理において、移動操作が終了したと判断したときには、制御部１３０は、移動終了要求を生成して、これを送信信号形成部１１５、送信処理部１１６、共用器１０２、送受信アンテナ１０１を通じてベース装置２００に送信する（ステップＳ１１９）。
【０１４０】
この後、子画面ＳＧへの画像の表示が再開されて、親画面ＭＧに子画面ＳＧが合成された画像を形成する映像信号を含む送信信号がベース装置２００から送信されてくるので、表示装置１００は、これを受信し、子画面ＳＧが使用者の指示に応じて移動された後の画像をＬＣＤ１１１に再生するようにして（ステップＳ１２０）、この図７、図８に示す処理を終了する。
【０１４１】
このように、子画面ＳＧを移動させる場合、親画面ＭＧに表示されている画像が、受信して表示装置１００側に保持している電子メールデータに応じた電子メールを表示している場合のように、表示装置１００側の保持する情報に基づいて形成されたものである場合には、親画面ＭＧに表示している画像データはベース装置２００側に無いので、表示装置１００側において、子画面の移動処理が行うようにされる。
【０１４２】
また、子画面ＳＧを移動させる場合、親画面ＭＧに表示されている画像が、Ｗｅｂページの閲覧など、ベース装置２００からの情報である場合には、親画面ＭＧに表示している画像データ、子画面に表示する画像データとも表示装置１００側で発生させるものではないので、ベース装置２００側において、子画面の移動処理が行うようにされる。
【０１４３】
［ベース装置２００の動作について］
次に、図９のフローチャートを参照しながら、ベース装置２００の動作について説明する。図９は、ベース装置２００の動作を説明するためのフローチャートであり、表示装置１００からの制御信号に応じた処理を行うために、電源投入後のベース装置２００の制御部２３０において行われる処理である。
【０１４４】
ベース装置２００に電源が投入されると、ベース装置２００の制御部２３０は、図９に示す処理を開始する。ベース装置２００の制御部２３０は、送受信アンテナ２１６、共用器２１５、受信処理部２１７を通じて、表示装置１００から送信された要求の受信待ちとなる（ステップＳ２０１）。
【０１４５】
ステップＳ２０１の判断処理において、表示装置１００からの要求を受信したと判断したときには、制御部２３０は、その受信した要求が、子画面表示要求か否かを判断する（ステップＳ２０２）。このステップＳ２０２の判断処理において、子画面表示要求を受信したと判断したときには、制御部２３０は、セレクタ２０７、子画面処理部２０９、合成部２１１を制御して、親画面ＭＧに表示するようにされている例えばＷｅｂページの画像に、復調部２０３からの映像信号に応じた画像を子画面ＳＧに表示するようにした画像を合成して、これを送信信号に含めて表示装置１００に送信するようにし（ステップＳ２０３）、ステップＳ２０１からの処理を繰り返すようにする。
【０１４６】
ステップＳ２０２の判断処理において、表示装置からの要求は、子画面表示要求ではないと判断したときには、制御部２３０は、受信した要求は、子画面の表示停止要求か否かを判断する（ステップＳ２０４）。ステップＳ２０４の判断処理において、受信した要求は、子画面の表示停止要求ではないと判断したときには、制御部２３０は、受信した要求に応じたその他の処理、例えば、選局するテレビ放送チャンネルの変更処理等のその他の処理を実行し（ステップＳ２０５）、ステップＳ２０１からの処理を繰り返すようにする。
【０１４７】
ステップＳ２０４の判断処理において、受信した要求が、子画面の表示停止要求であると判断したときには、制御部２３０は、子画面処理部２０９を制御し、子画面に表示している画像の表示を停止させるようにする（ステップＳ２０６）。このステップＳ２０６の処理は、図８に示した表示装置１００においてのステップＳ１１２の処理と同様に、子画面ＳＧの表示位置を移動させる場合に、画像が乱れて見難くなったり、子画面ＳＧの移動中の表示位置を正確に把握することができなくなったりすることを防止するため、子画面ＳＧに画像を表示させないようにするが、子画面ＳＧの位置を明確にするため、例えば、子画面ＳＧの画枠内を白色一色にして、子画面ＳＧの画枠（表示領域）を明確に示すことができるようにする処理である。
【０１４８】
そして、ベース装置２００の制御部２３０は、表示装置１００から順次に送信されてくる座標データ受信し、これに応じて、合成部２１１を制御し、子画面ＳＧの表示位置を移動（変更）させるようにする（ステップＳ２０７）。そして、制御部２３０は、表示装置からの移動終了要求を受信したか否かを判断し、移動終了要求を受信していないと判断したときには、ステップＳ２０７からの処理を繰り返す。
【０１４９】
また、ステップＳ２０８の判断処理において、移動終了要求を受信したと判断したときには、移動後の子画面ＳＧに復調部２０３からの映像信号による画像を表示させるように、子画面ＳＧへの画像の表示を回復（再開）させるようにして、親画面ＭＧに子画面を合成するようにした画像を形成する映像信号を含む送信信号を形成して、これを送信するようにし（ステップＳ２０９）、ステップＳ２０１からの処理を繰り返すようにする。
【０１５０】
このように、親画面ＭＧに表示されている画像がベース装置２００からの情報によるものである場合には、この実施の形態においては、親画面ＭＧ、子画面ＳＧに表示される画像がともにベース装置２００からのものとなるため、子画面の合成処理、および、子画面の移動処理は、ベース装置２００側において行うようにされる。
【０１５１】
このように、この実施の形態の画像表示装置においては、表示装置１００においても、ベース装置２００においても、親画面と子画面とからなる２画面表示を行うことができるようにされている。そして、表示装置１００とベース装置２００とのうち、何れの装置で子画面を合成したり、移動したりする処理を行うかは、少なくとも親画面ＭＧに表示する画像を形成する画像データや映像信号が、表示装置１００側にあるかベース装置２００側にあるかによって、最適な装置において処理することができるようにされる。
【０１５２】
また、上述した実施の形態においては、テレビ放送信号の受信系は１系統しか備えていないため、親画面と子画面による異なるテレビ放送番組の２画面表示はできないものであったが、テレビ放送信号の受信系を２系統設けることにより、親画面と子画面による異なるテレビ放送番組の２画面表示も可能である。
【０１５３】
しかし、テレビ放送番組の画像は動画であり、必要な情報が子画面により隠されてしまう頻度は少なく、また、子画面の位置を予め決められた別の位置に移動させて必要な情報を得た後に、子画面の表示位置を戻すようにすることで、十分に対応可能な場合も多い。このため、子画面のドラッグ移動は、上述もしたように、Ｗｅｂページ、電子メール、あるいは、設定画面の利用時において特に有効である。
【０１５４】
なお、上述した実施の形態においては、インターネット機能の利用時、電子メール機能の利用時、設定画面の利用時において、子画面の表示を可能にする場合を例にして説明したが、これに限るものではない。画像の表示を伴う種々の機能の利用時において、子画面を表示させることが可能である。例えば、表示装置１００の内蔵メモリや表示装置１００に装填された外部メモリに記録されている画像情報の一覧表示、拡大表示、スライドショー、印刷などを行うアルバム機能利用時において、子画面を表示し、これを移動させるようにしてもよい。
【０１５５】
また、親画面ＭＧに表示するようにしている画像が、ベース装置２００から提供される例えばテレビ放送番組の映像信号による画像であっても、表示装置１００のＥＥＰＲＯＭなどの内蔵メモリや装着された外部メモリの情報を子画面ＳＧに表示する場合には、子画面の合成処理や移動処理を表示装置１００側において行うことが可能である。
【０１５６】
すなわち、親画面に子画面を合成する処理や表示された子画面の表示位置の移動処理は、上述もしたように、親画面に表示する画像を形成する映像信号や画像データの提供元に応じて区別することも可能であるし、親画面に表示する画像の提供元と、子画面に表示する画像の提供元の少なくとも一方が、表示装置１００側である場合においては、親画面に子画面を合成する処理や表示された子画面の表示位置の移動処理を表示装置１００側で行うようにすることができる。
【０１５７】
また、親画面に子画面を合成する処理や表示された子画面の表示位置の移動処理を表示装置１００においてのみ行うようにすることもできる。この場合には、表示装置１００に、親画面に表示する画像を形成する映像信号や画像データの供給路と、親画面に表示する画像を形成する映像信号や画像データの供給路との両方を設けるようにすればよい。
【０１５８】
同様に、親画面に子画面を合成する処理や表示された子画面の表示位置の移動処理をベース装置２００においてのみ行うようにすることもできる。この場合には、ベース装置２００に、親画面に表示する画像を形成する映像信号や画像データの供給路と、親画面に表示する画像を形成する映像信号や画像データの供給路との両方を設けるようにすればよい。
【０１５９】
したがって、この発明は、表示装置１００とベース装置２００とにより構成される画像表示装置だけでなく、表示素子を備えた種々の画像表示装置に適用可能である。
【０１６０】
また、上述した実施の形態においては、子画面の移動時において、子画面に表示される画像が見づらくなる等のために、子画面の移動中においては子画面への画像の表示を停止させるようにした。しかしこれに限るものではない。子画面の移動中であっても、子画面に画像の表示を継続させるようにしてももちろんよい。画像の処理速度を向上させることにより、子画面の移動中であっても、子画面に表示される画像が見づらくなることを防止することができる。
【符号の説明】
【０１６１】
１００  表示装置，  １０１  送受信アンテナ，  １０２  アンテナ共用器，  １０３  受信処理部，  １０４  デコード部，  １０５  Ｄ／Ａ（Digital/Analog）変換部，  １０６  セレクタ，  １０７  主画像処理部，  １０８  子画面処理部，  １０９  映像合成部，  １１０  映像処理部，  １１１  ＬＣＤ，  １１２  音声処理部，  １１３  スピーカー，  １１４  キャプチャー処理部，  １１５  送信信号形成部，  １１６  送信処理部，  １２１  タッチパネル，  １２２  座標検出部，  １３０  制御部，  １３１  ＣＰＵ，  １３２  ＲＯＭ，  １３３  ＲＡＭ，  １３４  ＥＥＰＲＯＭ，  １３５  外部メモリＩ／Ｆ，  １５０  外部メモリ，  １４０  キーＩ／Ｆ，  １４１  キー入力部，  ２００  ベース装置，  ２０１  受信アンテナ２０１，  ２０２  選局部（チューナ部），  ２０３  復調部，  ２０４ａ、２０４ｂ  映像入力端子，  ２０５ａ、２０５ｂ  音声入力端子，  ２０６  Ｄ／Ａ変換部，  ２０７  セレクタ，  ２０８  主画像処理部，  ２０９  子画面処理部，  ２１０  音声処理部，  ２１１  映像合成部，  ２１２  圧縮処理部，  ２１３  送信信号形成部，  ２１４  送信処理部，  ２１５  共用器，  ２１６  送受信アンテナ，  ２１７  受信処理部，  ２２０  通信処理部，  ２２１  インターフェース，  ２２２  通信部，  ２３０  制御部，  ２３１  ＣＰＵ，  ２３２  ＲＯＭ，２３３  ＲＡＭ，  ２３４  ＥＥＰＲＯＭ，  ２４１  リモコン信号形成部，  ２４２  接続端子，  ２５０  リモコン信号送信部
【図１】
2010119124.tif 000003
【図２】
2010119124.tif 000004
【図３】
2010119124.tif 000005
【図４】
2010119124.tif 000006
【図５】
2010119124.tif 000007
【図６】
2010119124.tif 000008
【図７】
2010119124.tif 000009
【図８】
2010119124.tif 000010
【図９】
2010119124.tif 000011